(57)【要約】【課題】必要に応じて化粧料容器の全長を伸縮させるとともに、化粧料を収容する空間を最大限大きく確保しながら、収容した化粧料を最後まで使い切ることができるようにするものである。【解決手段】螺旋筒３内周の螺旋溝８内に案内突起２７を遊嵌する紅筒２０内において、該紅筒２０内に、紅筒とは個別回転不能となるピストン３１を内装し、該ピストン３１を各々相互に個別回転可能に螺合する第一ネジ筒３６、第二ネジ筒４２及びネジ爪４５を介してハカマ９の回転伝達軸１６と一体に連結することによって、ハカマを回転させて、紅筒を螺旋筒内外に出没自在とするとともに、紅筒内のピストンを前進可能として紅筒内に貯溜する液状等化粧料を紅筒の押出孔から排出させることができる。【選択図】図３
2008307082.tif 000002
【特許請求の範囲】
【請求項１】
化粧料容器本体において
前方より、螺旋筒、化粧料筒、ピストン、第三ネジ筒、第二ネジ筒、第一ネジ筒及びハカマの順に構成されてなり、
螺旋筒は前後を開放した、内周面が円形の横断面となる筒形状であって、その内周面には螺旋状の案内溝が溝設され、
化粧料筒は後端を開放した中空形状であって、その先端側には化粧料筒内部の化粧料を排出する単数もしくは複数の貫通孔が設けられると共に、その外周面には、前記螺旋筒の案内溝に遊嵌される案内突起が突設され、
ピストンは前端を閉鎖し後端を開放した中空形状であって、化粧料筒内の化粧料を密閉且つ前方へ押出しうる一方、化粧料筒内においてハカマの回転にともなって回転することがないよう、化粧料筒の内周面に周回方向に密着しつつ回転方向に係合し、且つ前後方向に摺動可能である外周形状としてなるとともに、後記第三ネジ筒との間で個別回転不能に係合する係合部を後端側に有し、
第三ネジ筒は前後を開放した中空形状であって、ピストンに個別回転不能に係合する係合部を有するとともに、内周面には第二ネジ筒の外周に設けられた後記雄ネジ部と螺合する雌ネジ部が配設され、
第二ネジ筒は前後を開放した略円筒形状であって、その外周面に前記螺旋筒の案内溝の旋回方向と逆方向に旋回するネジ山を設けた雄ネジ部が配設されるとともに、内周面には第一ネジ筒の外周に設けられた後記雄ネジ部と螺合する雌ネジ部が配設され、
第一ネジ筒は、円筒部とその後端に設けられる蓋体とからなり、該円筒部外周には前記螺旋筒の案内溝の旋回方向と逆方向に旋回するネジ山を設けた雄ネジ部が配設され、又、蓋体は前記化粧料筒の後端側と個別回転可能に嵌合する一方、該円筒部及び蓋体の内部には後記ハカマの内底部より立設する回転伝達軸を相互に個別回転不能に嵌着する嵌着保持部が配設されてなり、
ハカマは前端を開放し後端を閉鎖した、内周面が円形の横断面となる筒形状であって、その内底部には回転伝達軸が立設されてなり、
螺旋筒に対して、化粧料筒はその案内突起を螺旋筒の案内溝に遊嵌して、その先端側を前方へ向けて挿入してなり、
該化粧料筒に対して、第三ネジ筒を個別回転不能に後部に係合させたピストンは、その先端側を前方へ向けて挿入してなり、
該第三ネジ筒に対して、第二ネジ筒はその雄ネジ部を第三ネジ筒の雌ネジ部に螺合して、第三ネジ筒の係合したピストンの内部に出没自在にしてなり、
該第二ネジ筒に対して、第一ネジ筒はその雄ネジ部を第二ネジ筒の雌ネジ部に螺合してなり、
該第一ネジ筒に対して、ハカマはその回転伝達軸を第一ネジ筒の嵌着保持部に嵌着してなり、
該ハカマに対して、螺旋筒はその後端側をハカマ前端側に個別回転可能に係合してなり、
更に、化粧料筒の後端側と第一ネジ筒の蓋体とを離脱不能且つ回転方向に回転可能に嵌合するとともに、
第一ネジ筒と第二ネジ筒の離脱及び第二ネジ筒と第三ネジ筒の離脱をそれぞれ防止するストッパーを設けてなる
化粧料の排出機構。
【請求項２】
化粧料筒の先端部内面に対してピストンの先端部外面が当接しうる形状を有するとともに、ピストンの先端部外面と化粧料筒の先端部内面との距離が、第一ネジ筒に対する第二ネジ筒の最大移動可能距離と第二ネジ筒に対する第三ネジ筒の最大移動距離との合計以下としてなる請求項１記載の化粧料の排出機構。
【請求項３】
化粧料筒の後端縁にラチェット歯を設けるとともに、第一ネジ筒の蓋体に前記ラチェット歯と噛合する弾性爪を設けることによりラチェット機構を構成し、化粧料筒に対して第一ネジ筒を、螺旋筒に設けられた案内溝の旋回方向と同方向には個別回転可能とするものの、逆方向には個別回転不能としてなる請求項１もしくは請求項２記載の化粧料の排出機構。
【請求項４】
化粧料筒の後端縁に交互に連続する山部と谷部からなる切歯部を設けるとともに、第一ネジ筒の蓋体に前記切歯部と噛合する弾性爪を設けることによりカム機構を構成し、化粧料筒に対して第一ネジ筒を、螺旋筒に設けられた案内溝の旋回方向と同逆方向に個別回転可能としてなる請求項１もしくは２記載の化粧料の排出機構。
【請求項５】
化粧料容器本体とキャップとからなり、
該化粧料容器本体内に請求項１乃至請求項４記載の化粧料の排出機構を設けてなる化粧料容器。
【発明の詳細な説明】
【技術分野】
【０００１】
本願発明は、例えばアイブロー、アイライナー、アイシャドー又はリップ等の液状、粘性体、半固形状又は固形状化粧料を収容した化粧料筒から、使用に供するためにそれら化粧料を排出する機構並びに、同機構を組み込んで使用した化粧料容器に関する。
【背景技術】
【０００２】
従来より、例えば上記各種化粧料を収容する化粧料容器として、液状化粧料の場合、前端に塗布部材とその後方に液状化粧料を収容するとともに、該液状化粧料の収容部後方にポンピング式の加圧機構を設けてなるのものであって、該ポンピング機構により液状化粧料を適宜塗布部材に供給してなるもの（特許文献１参照）や、半固形状又は固形状化粧料の場合、カートリッジと容器本体とから構成され、カートリッジには、カートリッジ体本体と固形状化粧料を保持しつつネジ運動により前後方向に移動可能になるホルダーを具え、容器本体には、ノック棒と該ノック棒による前方への運動をカム機構により回転運動に変換して前記ホルダーに伝達する回転棒を具えるものであって、ノック棒に対するノックによりカートリッジ体内の固形状化粧料を保持するホルダーをネジ運動により突出させるものがある（特許文献２参照）。
【０００３】
ところで、上記化粧料容器では、化粧料容器を構成する部品が多く化粧料容器の全長が長くなってしまい、携帯性に欠けるものとなる。そこで、携帯性を向上させようとして化粧料容器の全長を短くすると、必然的に化粧料を収容する空間を小さくせざるを得ない上、全長が短くなると、使用者が化粧料容器を手に持って化粧料の塗布を行おうとする際、化粧料容器を確実に把持しにくくなり、正確に化粧料の塗布を行えなくなる恐れがある。
【０００４】
また、特に液状化粧料容器においては、空気圧を利用して内部に貯溜する液状化粧料を塗布部材に供給するものであるので、内部に液状化粧料が十分に貯留しているならば僅かなポンピングにより液状化粧料の供給を行うことができるものの、化粧料残量が少なくなると、繰り返してポンピングを行わなければ内圧を高めることができず、使用者にとって非常に煩雑になる上、十分にポンピングが行えないと化粧料を最後まで使い果たすことができないものとなる。
【特許文献１】特開２００５−１１８３６７号
【特許文献２】特開平９−３４７号
【発明の開示】
【発明が解決しようとする課題】
【０００５】
解決しようとする問題点は、携帯時の全長は短くしつつも使用時には化粧料容器を確実に把持できるように伸張可能とし、更に液状、半固形状又は固形状化粧料を最大限収容しながら、最後まで使い果たせるようにすることである。
【課題を解決するための手段】
【０００６】
そこで、本願発明の化粧料容器における化粧料の排出機構は、
化粧料容器本体において
前方より、螺旋筒、化粧料筒、ピストン、第三ネジ筒、第二ネジ筒、第一ネジ筒及びハカマの順に構成されてなり、
螺旋筒は前後を開放した、内周面が円形の横断面となる筒形状であって、その内周面には螺旋状の案内溝が溝設され、
化粧料筒は後端を開放した中空形状であって、その先端側には化粧料筒内部の化粧料を排出する単数もしくは複数の貫通孔が設けられると共に、その外周面には、前記螺旋筒の案内溝に遊嵌される案内突起が突設され、
ピストンは前端を閉鎖し後端を開放した中空形状であって、化粧料筒内の化粧料を密閉且つ前方へ押出しうる一方、化粧料筒内においてハカマの回転にともなって回転することがないよう、化粧料筒の内周面に周回方向に密着しつつ回転方向に係合し、且つ前後方向に摺動可能である外周形状としてなるとともに、後記第三ネジ筒との間で個別回転不能に係合する係合部を後端側に有し、
第三ネジ筒は前後を開放した中空形状であって、ピストンに個別回転不能に係合する係合部を有するとともに、内周面には第二ネジ筒の外周に設けられた後記雄ネジ部と螺合する雌ネジ部が配設され、
第二ネジ筒は前後を開放した略円筒形状であって、その外周面に前記螺旋筒の案内溝の旋回方向と逆方向に旋回するネジ山を設けた雄ネジ部が配設されるとともに、内周面には第一ネジ筒の外周に設けられた後記雄ネジ部と螺合する雌ネジ部が配設され、
第一ネジ筒は、円筒部とその後端に設けられる蓋体とからなり、該円筒部外周には前記螺旋筒の案内溝の旋回方向と逆方向に旋回するネジ山を設けた雄ネジ部が配設され、又、蓋体は前記化粧料筒の後端側と個別回転可能に嵌合する一方、該円筒部及び蓋体の内部には後記ハカマの内底部より立設する回転伝達軸を相互に個別回転不能に嵌着する嵌着保持部が配設されてなり、
ハカマは前端を開放し後端を閉鎖した、内周面が円形の横断面となる筒形状であって、その内底部には回転伝達軸が立設されてなり、
螺旋筒に対して、化粧料筒はその案内突起を螺旋筒の案内溝に遊嵌して、その先端側を前方へ向けて挿入してなり、
該化粧料筒に対して、第三ネジ筒を個別回転不能に後部に係合させたピストンは、その先端側を前方へ向けて挿入してなり、
該第三ネジ筒に対して、第二ネジ筒はその雄ネジ部を第三ネジ筒の雌ネジ部に螺合して、第三ネジ筒の係合したピストンの内部に出没自在にしてなり、
該第二ネジ筒に対して、第一ネジ筒はその雄ネジ部を第二ネジ筒の雌ネジ部に螺合してなり、
該第一ネジ筒に対して、ハカマはその回転伝達軸を第一ネジ筒の嵌着保持部に嵌着してなり、
該ハカマに対して、螺旋筒はその後端側をハカマ前端側に個別回転可能に係合してなり、
更に、化粧料筒の後端側と第一ネジ筒の蓋体とを離脱不能且つ回転方向に回転可能に嵌合するとともに、
第一ネジ筒と第二ネジ筒の離脱及び第二ネジ筒と第三ネジ筒の離脱をそれぞれ防止するストッパーを設けてなるものである。
【０００７】
そのため、まず携帯時においては、化粧料容器本体を構成する螺旋筒とハカマ内において、内部に化粧料を収容する化粧料筒及び該化粧料筒内に収容する化粧料を排出させるピストンを前進可能とする第一ネジ筒、第二ネジ筒及び第三ネジ筒が重なり合って保持されているので、化粧料容器本体の全長を短くすることができる。そして使用時には、前記ハカマを回転させることで螺旋筒内より化粧料筒が突出して化粧料容器本体の全長が長くなるので、操作者による把持が容易になる。更に化粧料筒内のピストンは、化粧料筒内の化粧料を密閉且つ前方へ押出しうる一方、化粧料筒内においてハカマの回転にともなって回転することがないよう、化粧料筒の内周面に周回方向に密着しつつ回転方向に係合し、且つ前後方向に摺動可能である外周形状としてなるので、該ピストンが化粧料筒内を前進することで、化粧料筒内の化粧料を確実に化粧料筒先端に設けられた貫通孔より排出して、使用に供させることができる。また、上記化粧料筒を螺旋筒より出没自在とし、かつ化粧料筒内でピストンを前進可能とする第一ネジ筒、第二ネジ筒及び第三ネジ筒が重なり合って螺合していることから、短くした化粧料容器本体内でも化粧料筒内の化粧料収容空間を大きく確保することができる。
なお、化粧料筒内部の化粧料を排出する貫通孔は、例えば化粧料が液状あるいは粘性体であれば複数の細かい貫通孔としたり、固形状あるいは半固形状であれば１個の大きな貫通孔とする等、化粧料の塗布方法や塗布面積に応じて適宜単複並びにその大きさを選択すればよいものである。
【０００８】
更に、化粧料筒の先端部内面に対してピストンの先端部外面が当接しうる形状を有するとともに、ピストンの先端部外面と化粧料筒の先端部内面との距離が、第一ネジ筒に対する第二ネジ筒の最大移動可能距離と第二ネジ筒に対する第三ネジ筒の最大移動距離との合計以下としてなることにより、ピストンが前進して化粧料筒の先端部内面に当接しうることから、化粧料筒内に収容された化粧料を最後まで化粧料筒外に排出して使い切ることができる。
【０００９】
又、前記化粧料の排出機構を備えた化粧料容器において、化粧料筒の後端縁にラチェット歯を設けるとともに、第一ネジ筒の蓋体に前記ラチェット歯と噛合する弾性爪を設けることによりラチェット機構を構成し、化粧料筒と第一ネジ筒とを、螺旋筒に設けられた案内溝の旋回方向と同方向には個別回転可能とするものの、逆方向には個別回転不能としてなるものとすることにより、化粧料を化粧料筒内より排出させるためハカマを螺旋筒の案内溝の旋回方向と同方向に回転させるとクリック音とクリック感が生じ、使用者はハカマの回転操作を聴覚及び手に伝わる感触によっても確認することができる。そして、ハカマを過剰に逆回転させようとしても、第一ネジ筒の弾性爪と化粧料筒の後端縁のラチェット歯との噛合によりハカマの逆回転は規制され、化粧料筒内での不必要なピストンの後退を防止でき、一旦化粧料筒先端に排出された化粧料は再び化粧料筒内に収容されることはなく、未使用の化粧料の汚損を防止できるものとなる。
【００１０】
一方、前記化粧料の排出機構を備えた化粧料容器において、化粧料筒の後端縁に交互に連続する山部と谷部からなる切歯部を設けるとともに、第一ネジ筒の蓋体に前記切歯部と噛合する弾性爪を設けることによりカム機構を構成し、化粧料筒に対して第一ネジ筒を、螺旋筒に設けられた案内溝の旋回方向と同逆方向に個別回転可能としてなるものとすることにより、化粧料を化粧料筒内より排出させるためハカマを螺旋筒の案内溝の旋回方向と同、逆方向に回転させるとクリック音とクリック感が生じ、使用者はハカマの回転操作を聴覚及び手に伝わる感触によっても確認することができる。その上、化粧料筒内より過剰に化粧料が外部に排出された際には、ハカマを逆回転させることで紅筒内でピストンが後退し、化粧料筒の貫通孔より過剰な化粧料を化粧料筒内部に収容することができる。
【発明の効果】
【００１１】
本願発明は、必要に応じて化粧料容器の全長を伸縮させるとともに、化粧料を収容する空間を最大限大きく確保しながら、該収容した化粧料を最後まで使い切ることができるできる優れた効果を有する。
【実施例１】
【００１２】
図１乃至図９に示す１は、本願発明の実施例１における化粧料容器であり、相互に個別回転可能に一体となる螺旋筒３とハカマ９から化粧料筒たる紅筒２０を出没自在としてなる化粧料容器本体２と、該螺旋筒３の前方側の開口部４を開放又は閉塞自在とする、ハカマ９に脱着自在に装着されるキャップ１７からなるものである。（なお、本明細書においては、化粧料容器１のキャップ１７側方向を前もしくは先、ハカマ９側方向を後として方向を指示する。又、回転方向を指示する場合は、前方を向いて回転方向を特定するものとする。）
【００１３】
まず、該キャップ１７は一端を閉塞する筒体であって、その内周面１８には後述する化粧料容器本体２を構成するハカマ９の開口部１０の外周面１１に周設される係止突縁１２と脱着自在に嵌合する係止凹縁１９が周設されている。
【００１４】
一方、該化粧料容器本体２には、相互に個別回転可能に一体となる螺旋筒３とハカマ９、並びに該螺旋筒３内外に出没自在となり、その内部に液状又は粘性体（以下、「液状等」とする。）化粧料３０を密閉保持する紅筒２０、及び該紅筒２０内の液状等化粧料３０を押出させるために前進するピストン３１とが配設され、該ピストン３１とハカマ９の内底部１５より立設する回転伝達軸１６とを、紅筒２０が螺旋筒３に対して出没自在となるとともに、ピストン３１が紅筒２０内を前進可能なように、相互に個別回転可能に螺合する第一ネジ筒３６、第二ネジ筒４２及び第三ネジ筒たるネジ爪４５を介して一体に連結して構成している。
【００１５】
ところで、上記化粧料容器本体２を構成する各部品は以下のようになっている。
即ち、前記螺旋筒３は、前後を開放した円筒形状であって、外周面５の後端部には、後述するハカマ９の内周面１３に周設する係止凹縁１４と相互に個別回転可能に嵌合する係止突縁６が周設されているとともに、内周面７には右螺旋状の案内溝８が溝設されている。
前記ハカマ９は、前端側を開放し後端側を閉鎖した円筒形状であって、開口部１０近傍の外周面１１には、前述したキャップ１７の内周面１８に周設される係止凹縁１９と脱着可能に嵌合する係止突縁１２が周設されるとともに、内周面１３の先端側には、螺旋筒３の外周面５に周設される係止突縁６と相互に個別回転可能に嵌合する係止凹縁１４が周設されるものであって、その内底部１５より断面十字形状の回転伝達軸１６が立設されている。
前記紅筒２０は、後端を開放するとともに先端を一部切り欠いて傾斜面２５とした中空の略弾丸形状であって、後端縁には一方向へのみ個別回転を可能とする（本実施例では右回転のみ個別回転可能。）ラチェット機構Ａをなすように、後方に向けて突出する傾斜面２３と、該傾斜面２３の右回転方向に隣接して設けられる垂直面２２から形成されるラチェット歯２１が連続して配設されている。そして、紅筒２０先端の傾斜面２５には複数の貫通した押出孔２６が穿設されるとともに、外周面２４の中央前寄り部分には、前記螺旋筒３の内周面７に溝設された案内溝８に遊嵌する２個の案内突起２７が互いに対向する位置に突設されている。また内面の先端寄り位置には周方向に段部２８aが形成され、該段部２８ａより後方が前方に比して長径となっている上、該後方部分の内周面２８の縦断面（左右方向への縦断面）はピストン３１後端の係止突縁３３（後述する。）の縦断面形状と相似した、３辺をそれぞれ独立の弧状とするとともに各角にＲを設けた略三角形状としてなり、又、該前方部分の内周面２８形状もピストン３１（後述する。）のピストン本体部３１ａの外周面３２形状と相似する形状である。更に、該内周面２８の後端部近傍には、第一ネジ筒３６（後述する。）の回転カム３８の係合突縁３９と離脱不能且つ相互に個別回転可能に嵌合する係合凹縁２９が周設されている。
前記ピストン３１は、ピストン本体部３１ａと係止突縁３３とからなり、ピストン本体部３１ａは、前記紅筒２０の先端側においてはその内面に密着して前進可能となるように、その外周面３２の形状を紅筒２０の内周面２８前方側の形状と相似するものとされている。また、ピストン本体部３１ａの後端部に設けられる係止突縁３３は、３辺をそれぞれ独立の弧状とするとともに各角にＲを設けた略三角形状の縦断面（左右方向への縦断面）となる内・外周面を有し、前述の通り、該係止突縁３３の外周面の縦断面と相似する形状を有する、前記紅筒２０の内周面２８の後方部分と係合して、ハカマ９の回転にともなってピストン３１が紅筒２０とは別個に回転しないための回り止めとなっている。そして更に、係止突縁３３と紅筒２０の内周面２８の後方部分との密着性を高めてピストンとしての性能を向上させるために、該係止突縁３３の外周の前端及び後端にそれぞれ前端突条３３ａと後端突条３３ｂとが周回して設けられている。又、前記係止突縁３３の内径は、いずれの部分においてもピストン本体部３１ａの後端部における内径よりも大であって、ピストン本体部３１ａの内周面３４後端部と前記係止突縁３３の内周面とは段部３１ｂを形成している。そして、その段部３１ｂの前側には、ネジ爪４５（後述する。）に設けられた３本の支持爪４６の先端部がそれぞれ嵌着する係止凹部３５が周方向に３ヶ所配設されている。
前記第一ネジ筒３６は、中空の円筒部３７ａとその後端に設けられる蓋体たる回転カム３８とからなり，円筒部３７ａの外周には左回転のネジ山を有する雄ネジ部３７が形成され（尚、該雄ネジ部３７は、成形性の観点からネジ部分の金型構造を割型にする為、ネジ山のアンダーカット部をなくすように円筒部３７ａの全周には亘らぬよう設けられている。）るとともに，その外周先端には、外方へ突出して、第一ネジ筒３６からの第二ネジ筒４２の離脱を防止するストッパー３７ｂが対向して設けられ、また、該回転カム３８はその最外周において、一方向（本願発明の実施例では右方向）へのみ回転を可能とするラチェット機構Ａをなす、紅筒２０の後端縁に配設されるラチェット歯２１と噛合する弾性爪４０を前方に向かって形成するとともに、前記紅筒２０の内周面２８の後端部近傍に周設される係合凹縁２９と離脱不能且つ相互に個別回転可能に嵌合する係合突縁３９が周設されてなり、更に円筒部３７ａと回転カム３８の内部には，前記ハカマ９の回転伝達軸１６が相互に個別回転不能に嵌着する断面十字形状の嵌着保持部４１が貫通して形成されている。
前記第二ネジ筒４２は、中空の円筒部４３ａとその後端に設けられる鍔部４３ｂとからなり，円筒部４３ａの外周には左回転のネジ山を有する雄ネジ部４３が形成されるとともに，その外周先端には、外方へ突出するフランジ４３ｃがネジ爪４５の雌ネジ部４７との離脱防止用のストッパーとして設けられ、また、該円筒部４３ａ後端近傍及び鍔部４３ｂの内部に前記第一ネジ筒３６の雄ネジ部３７と噛合する雌ネジ部４４が配設されている。
前記ネジ爪４５は、ピストン本体部３１ａの後端部内周径よりも若干大径となる外径を有するリング状の基底部４５ａに対して３本の支持爪４６が配設され、各支持爪４６の外周面には後方側に第一係止突条４６ａが、前方側に第二係止突条４６ｂがそれぞれ周設されるとともに、内周面には前記第二ネジ筒４２の雄ネジ部４３と噛合する雌ネジ部４７が配設されている。尚、前記第一係止突条４６ａは前後方向への縦断面において、前記基底部４５ａよりも外方へ突出するように設けられている。
また、ピストン３１はその先端外面が紅筒２０の先端内面に当接するまで前進可能なように寸法が調整されており、該ピストン３１の最大移動可能距離Ｐと、第一ネジ筒３６に対する第二ネジ筒４２の最大移動可能距離Ｑ及び第二ネジ筒４２に対するネジ爪４５の最大移動可能距離Ｒとの関係は以下のように設定されることとなる。すなわち、
Ｐ≦Ｑ＋Ｒ、
Ｐ＞Ｑ、
Ｐ＞Ｒ、
【００１６】
そこで、化粧料容器本体２を構成する各部品が以上のようになっているので、各部品は次のようにして一体に結合しているものである。
即ち、螺旋筒３と紅筒２０とは、紅筒２０の先端側を前方へ向けて螺旋筒３に挿入され、螺旋筒３の内周面７に溝設する案内溝８に対して、紅筒２０の外周面２４に突設される案内突起２７が摺動自在に遊嵌されることで、相互に個別回転可能に一体となっている。
次に、紅筒２０とピストン３１とは、ピストン本体部３１ａの外周面形状が紅筒２０の内周面２８に設けられた段部２８ａより前方部分の内周面形状と相似するとともに、ピストン３１の後端部に周設される係止突縁３３の形状が、紅筒２０の内周面２８に設けられた段部２８ａより後方部分の内周面２８の形状と相似した上、該係止突縁３３の外周に設けられた前端突条３３ａ及び後端突条３３ｂが、紅筒２０の内周面２８に密着することから、ピストン３１が紅筒２０に密着しつつ、個別回転不能且つ前進可能なように内装されることで一体となっている。
更に、紅筒２０内を前進自在となるピストン３１とネジ爪４５とは、ネジ爪４５の３本の支持爪４６をピストン３１内に挿入した上、その第一係止突条４６ａをピストン３１の内周に設けられた段部３１ｂの後縁部に係合させるとともに、第二係止突条４６ｂをピストン本体部３１ａの後端部近傍の内周面に設けられた係止凹部３５に嵌合させることにより、第一係止突条４６ａと第二係止突条４６ｂとによってピストン３１の内周に設けられた段部３１ｂを把持することで相互に個別回転不能に一体となっている。尚、当該両者の組み付けに際しては、第一係止突条４６ａがネジ爪４５の基底部４５ａよりも外方へ突出しているため、ネジ爪４５の３本の支持爪４６をピストン３１内に挿入すれば、必ず第一係止突条４６ａがピストン３１の内周に設けられた段部３１ｂの後縁部に係合し、その際、その支持爪４６の挿入された位置と、ピストン本体部３１ａの後端部近傍の内周面に設けられた係止凹部３５の位置とが合致していなくとも、前記段部３１ｂに沿ってネジ爪４５の位置を該ネジ爪４５と一体に螺合する第二ネジ筒４２とともに適宜回転させれば、支持爪４６の第二係止突条４６ｂを前記係止凹部３５に嵌合させることができる。
一方、ハカマ９と第一ネジ筒３６とは、ハカマ９の内底部１５より立設する回転伝達軸１６が第一ネジ筒３６の内部の嵌着保持部４１に嵌合することで、ハカマ９の回転と共回りするように一体となっている。
また、第一ネジ筒３６と第二ネジ筒４２とは、第一ネジ筒３６の雄ネジ部３７と第二ネジ筒４２の内部の雌ネジ部４４とが相互に個別回転可能に螺合して一体となっている。
そして、該第二ネジ筒４２とネジ爪４５とは、支持爪４６の内周面に配設される雌ネジ部４７と第二ネジ筒４２の雄ネジ部４３とが相互に個別回転可能に螺合して一体となっている。
また、該紅筒２０と第一ネジ筒３６とは、紅筒２０の内周面２８の後端部において配設される係合凹縁２９と、第一ネジ筒３６の回転カム３８における係合突縁３９とが離脱不能且つ相互に個別回転可能に嵌合することで一体となるとともに、該紅筒２０の後端縁に形成されるラチェット歯２１と該第一ネジ筒３６の回転カム３８の弾性爪４０との噛合によって、第一ネジ筒３６を紅筒２０に対して右回転のみ個別回転可能となるラチェット機構Ａが形成されている。すなわち、第一ネジ筒３６を右回転させることによって、第一ネジ筒３６の回転カム３８の弾性爪４０が、紅筒２０の後端縁のラチェット歯２１の斜面２３に当接する際には、該弾性爪４０が該斜面２３を乗り越えて回転して行くことが可能であるのに対し、逆回転する場合には該弾性爪４０が垂直面２２に当接することから、該弾性爪４０は該垂直面２２を乗り越えて回転して行くことができず、第一ネジ筒３６の逆回転は紅筒２０によって抑制されることとなる。また、該紅筒２０と第一ネジ筒３６とは、第一ネジ筒３６が右回転する際にも、第一ネジ筒３６と第二ネジ筒４２との螺合や第二ネジ筒４２とネジ爪４５との螺合による摩擦力よりも回転方向に対して強い摩擦力を有するように嵌合されている。
その上で、螺旋筒３とハカマ９とは、螺旋筒３の外周面５の後端部に周設する係止突縁６とハカマ９の内周面１３に周設する係止凹縁１４とが相互に個別回転可能に嵌合することで一体となっている。
【００１７】
以上のように、本願発明の実施例１の化粧料容器１は構成されているので、使用者は次のようにして該化粧料容器１を用いるものである。
即ち、使用時には、キャップ１７を外した後、先ず螺旋筒３を指などで把持した上でハカマ９を右回転させる。このハカマ９の回転により、該ハカマ９の内底部１５より立設される回転伝達軸１６が嵌着する嵌着保持部４１を有する第一ネジ筒３６が一体に回転する。そして、該第一ネジ筒３６をなす回転カム３８の係合突縁３９と紅筒２０の内周面２８の後端部に配設される係合凹縁２９とが強い摩擦力を持って嵌合しているので、第一ネジ筒３６と紅筒２０とは一体に回転するものとなる。このとき、紅筒２０の外周面２４に突設される案内突起２７は螺旋筒３内の内周面７に溝設された螺旋溝８に遊嵌されているので、紅筒２０は一体となった第一ネジ筒３６を伴って、該螺旋溝８に沿って回転しながら螺旋筒３内を前進して螺旋筒８の開口部４より突出し、該螺旋溝８の前方終端に紅筒２０の案内突起２７が至ると、紅筒２０はそれ以上螺旋筒３内を前進できなくなって停止する。その状態で更にハカマ９を回転させると、紅筒２０は螺旋溝８の前方終端によって固定されていることから、前記係合突縁３９と係合凹縁２９との間の嵌合に対して、上記両者間の摩擦力以上の力が加わることとなり、第一ネジ筒３６は紅筒２０とは別個に回転し始めるものとなる。
【００１８】
その際、第一ネジ筒３６の雄ネジ部３７と第二ネジ筒４２の雌ネジ部４４間の摩擦力と、第二ネジ筒４２の雄ネジ部４３とネジ爪４５の雌ネジ部４７間の摩擦力との大小によって、以後の作動順序が異なることとなる。すなわち、前者の摩擦力の方が大きい場合、第一ネジ筒３６と第二ネジ筒４２とは供回りし、第二ネジ筒４２はネジ爪４５に対して回転することとなる。そして、ネジ爪４５はピストン３１に対して個別回転不能に一体とされている上、該ピストン３１は紅筒２０に対して同様に個別回転不能に一体とされ、更に該紅筒２０は前述の通り、螺旋筒３に設けられた螺旋溝８の前方終端に紅筒２０の案内突起２７が至っているため、把持された螺旋筒３によって固定されていることから、ネジ爪４５は回転することなく第二ネジ筒４２の円筒部４３ａに沿って前進するものとなる。その結果、前記ネジ爪４５と一体となるピストン３１は紅筒２０内を前進するので、紅筒２０内に貯溜する液状等化粧料３０を紅筒２０先端の傾斜面２５に穿設する複数の押出孔２６より排出させることができる。そして、ネジ爪４５が第二ネジ筒４２の円筒部４３ａに沿ってその先端まで前進すると、ネジ爪４５の雌ネジ部４７が第二ネジ筒４２のフランジ４３ｃに当接して、ネジ爪４５が第二ネジ筒４２に固持されて一体となる。この状態で更にハカマ９を右回転させることによって第一ネジ筒３６を右回転させると、今度は第二ネジ筒４２とネジ爪４５との間の摩擦力の方が、第一ネジ筒３６の雄ネジ部３７と第二ネジ筒４２雌ネジ部４４間の摩擦力より大きくなることから、第一ネジ筒３６の雄ネジ部３７と第二ネジ筒４２の雌ネジ部４４との係合が解除されることとなる。そしてその際、該第二ネジ筒４２は前述の通り、螺旋筒３、紅筒２０及びピストン３１を介して回転不能とされているネジ爪４５に対して固持されていることから、第一ネジ筒３６は第二ネジ筒４２に対して回転し、第二ネジ筒４２は第一ネジ筒３６の円筒部３７ａに沿って前進するものとなる。その結果、前記ネジ爪４５を介して第二ネジ筒４２と一体となるピストン３１は紅筒２０内を更に前進し、紅筒２０内に貯溜する液状等化粧料３０を紅筒２０先端の傾斜面２５に穿設する複数の押出孔２６より更に排出させ、最終的にはピストン３１の先端外面が紅筒２０の傾斜面２５内面に当接するに至ることとなる。
【００１９】
一方、第一ネジ筒３６の雄ネジ部３７と第二ネジ筒４２の雌ネジ部４４間との摩擦力の方が、第二ネジ筒４２の雄ネジ部４３とネジ爪４５の雌ネジ部４７間の摩擦力よりも小さい場合は、第一ネジ筒３６は第二ネジ筒４２に対して回転することとなる。その際、前述の通りネジ爪４５は螺旋筒３、紅筒２０及びピストン３１を介して回転不能とされている上、第二ネジ筒４２は該ネジ爪４５に対して摩擦力によって係合されていることから、回転することなく、第一ネジ筒３６の円筒部３７ａに沿って前進することとなる。そして、第二ネジ筒４２が第一ネジ筒３６の円筒部３７ａに沿ってその先端まで前進すると、第二ネジ筒４２の雌ネジ部４４が第一ネジ筒３６のストッパー３７ｂに当接して、第二ネジ筒４２が第一ネジ筒３６に固持されて一体となる。この状態で更にハカマ９を右回転させることによって第一ネジ筒３６を右回転させると、今度は第一ネジ筒３６と第二ネジ筒４２との間の摩擦力の方が、第二ネジ筒４２の雄ネジ部４３とネジ爪４５の雌ネジ部４７間の摩擦力よりも大きくなることから、第二ネジ筒４２の雄ネジ部４３とネジ爪４５の雌ネジ部４７との係合が解除されることとなる。そしてその際、ネジ爪４５は前述の通り、螺旋筒３、紅筒２０及びピストン３１を介して回転不能とされていることから、第二ネジ筒４２はネジ爪４５に対して回転し、ネジ爪４５は第二ネジ筒４２の円筒部４３ａに沿って前進するものとなる。その結果、前記ネジ爪４５を介して第二ネジ筒４２と一体となるピストン３１は紅筒２０内を更に前進し、紅筒２０内に貯溜する液状等化粧料３０を紅筒２０先端の傾斜面２５に穿設する複数の押出孔２６より更に排出させ、最終的にはピストン３１の先端外面が紅筒２０の傾斜面２５内面に当接するに至ることとなる。
因みに、本実施例はこの形態に基づいて製造されている。ただ、第一ネジ筒３６の雄ネジ部３７と第二ネジ筒４２の雌ネジ部４４間の摩擦力と、第二ネジ筒４２の雄ネジ部４３とネジ爪４５の雌ネジ部４７間の摩擦力とが、どちらが大となっても操作可能となるよう、第一ネジ筒３６と第二ネジ筒４２の両者にそれぞれストッパー３７ｂとフランジ４３ｃが設けられている。
【００２０】
なお、螺旋筒３より突出させた紅筒２０内より液状等化粧料３０を排出させる際、ハカマ９は右回転するものであるため、紅筒２０の後端縁に形成されるラチェット歯２１と第一ネジ筒３６の回転カム３８に形成される弾性爪４０とからなるラチェット機構Ａはその回転を阻害することはなく、クリック音及び適度なクリック感を発するので、使用者は聴覚においてもピストン３１を紅筒２０内で前進させるハカマ９の回転操作を聴覚及び手に伝わる感触によって確認することができるものとなる。
【００２１】
一方使用後は、螺旋筒３を指などで把持した上で、ハカマ９を逆回転させる。このハカマ９の逆回転により、該ハカマ９の内底部１５より立設される回転伝達軸１６が嵌着する嵌着保持部４１を有する第一ネジ筒３６が一体に逆回転する。そして、該第一ネジ筒３６をなす回転カム３８に形成される弾性爪４０と紅筒２０の後端縁に形成されるラチェット歯２１とからなるラチェット機構Ａによって、紅筒２０は逆回転方向へは第一ネジ筒３６と同期して回転することとなる。一方、紅筒２０の外周面２４に突設される案内突起２７は螺旋筒３内の内周面７に溝設された螺旋溝８に遊嵌されているので、紅筒２０は該螺旋溝８に沿って逆回転しながら螺旋筒３内を後退して没入し、螺旋溝８の後方終端に紅筒２０の案内突起２７が至るか、あるいは第一ネジ筒３６の回転カム３８の後面がハカマ９の内底部１５に当接するに至ると、紅筒２０はそれ以上螺旋筒３内を後退できなくなって停止する（尚、本実施例は、第一ネジ筒３６の回転カム３８の後面がハカマ９の内底部１５に当接するに至ることによって、紅筒２０が停止している。）。
そして、紅筒２０が螺旋筒３内に完全に没入した後、該化粧料本体２に対してキャップ１７を装着することによって化粧料容器１内の密閉性を確保できるので、安全に携帯することができる。
【００２２】
なお、紅筒２０が螺旋筒３内に完全に没入しているにもかかわらず更にハカマ９を逆回転させようとしても、前記ラチェット機構Ａが作動してそれ以上の逆回転操作は防止される。すなわち、この時点で紅筒２０の案内突起２７が螺旋筒３に設けられた螺旋溝８の後方終端に至っているか、あるいは第一ネジ筒３６の回転カム３８の後面がハカマ９の内底部１５に当接するに至っており、紅筒２０はそれ以上後退できない上、該螺旋筒３自体を操作者が把持して固定していることから、紅筒２０の逆回転も阻止される。一方、ラチェット機構Ａが作動していることから、第一ネジ筒３６は逆回転方向へは紅筒２０と同期してしか回転できない状態となっている。その結果、第一ネジ筒３６と一体となったハカマ９はそれ以上回転させることができず、紅筒２０内でのピストン３１の後退を確実に防止でき、紅筒２０内の未使用の液状等化粧料３０の汚損を防止することも可能になるものである。
【００２３】
ところで、本実施例においては紅筒２０の内周面形状を段部２８ａの前後で異ならせているが、ピストン３１が紅筒２０を密閉しつつ摺動可能であって、且つ個別回転不能となっていれば足りるのであって、ピストン３１並びに紅筒２０の内外周面の形状やその個別回転不能とするための構成は、紅筒２０の螺旋筒３に対する移動や、ピストン３１の紅筒２０内の摺動を阻害しない限りどのようなものであってもよい。また同様に、ピストン３１とネジ爪４５との係合についても、ピストン３１内への第二ネジ筒４２の没入や、ピストン３１の紅筒２０内の摺動を該ネジ爪４５が阻害しない限りどのようなものであってもよい。
なお、本実施例１において前記紅筒２０先端の傾斜面２５には複数の押出孔２６が穿設されているが、図１０に示す変形例のように単一且つ大径の開口部４９を穿設するものとしてもよい。この場合、紅筒２０内部には半固形状又は固形状（以下、「固形状等」とする。）化粧料４８が密閉保持される。
【実施例２】
【００２４】
図１１に示す１は、本願発明の実施例２における化粧料容器であり、相互に個別回転可能に一体となる螺旋筒３とハカマ９より紅筒２０を出没自在としてなる化粧料容器本体２と、該化粧料容器本体２の螺旋筒３の開口部４を開放又は閉塞するようにハカマ９に脱着自在に装着されるキャップ１７からなるものである。
そして、上記化粧料容器１は、そのほとんどの部品や構成が実施例１の化粧料容器１と共通するものであるが、以下の点でその部品と構成が相違する。
【００２５】
即ち、紅筒２０の外周面２４の先端は、その内部に収容する粘性を有する半固形状又は固形状化粧料４８の出没が可能になるように開口部４９が穿設されている。そして、該半固形状又は固形状化粧料４８の出没が可能なようにするためには、ハカマ９が左右いずれの方向にも回転できることが必要となる。そのため、本願発明の実施例２の化粧料容器１は、実施例１の化粧料容器１とは異なり、紅筒２０と第一ネジ筒３６との間ではハカマ９の回転を一方向に規制するラチェット機構Ａを構成しないものである。そして、該ラチェット機構Ａの代わりに、紅筒２０の後端縁には山部５０ａと谷部５０ｂとが連続することで形成される切歯部５０が配設され、該切歯部５０と第一ネジ筒３６の回転カム３８の弾性爪４０とが互いに噛合してカム機構Ｂを構成する。すなわち、紅筒２０と第一ネジ筒３６とは左右両方向へ個別回転可能として一体となっている。
【００２６】
本願発明の実施例２の化粧料容器１は以上の構成を具えるので、キャップ１７を外した後に、実施例１と同様にハカマ９を右回転させると、上述する実施例１と同様に、先ず紅筒２０が螺旋筒３より突出するものである。その後、更にハカマ９を右回転させることによって、第一ネジ筒３６と螺合する第二ネジ筒４２が第一ネジ筒３６の円筒部３７ａに沿って前進して、ネジ爪４５を介してピストン３１を紅筒２０内において前進させた後、更にネジ爪４５が第二ネジ筒４２の円筒部４３ａに沿って前進して、ピストン３１を紅筒２０内において前進させることができる。このピストン３１の紅筒２０内での前進に従って、半固形状又は固形状化粧料４８を紅筒２０の開口部４９より外部へ突出させて使用に供せしめるとともに、ピストン３１の先端外面を紅筒２０の先端の開口部４９にまで至らしめることで、紅筒２０の開口部４９より半固形状又は固形状化粧料４８を最後まで突出させることができるものである。
なお、実施例１の場合と同様に、第一ネジ筒３６の雄ネジ部３７と第二ネジ筒４２雌ネジ部４４間の摩擦力と、第二ネジ筒４２の雄ネジ部４３とネジ爪４５の雌ネジ部４７間の摩擦力との大小関係を逆にすることにより、先にネジ爪４５が第二ネジ筒４２の円筒部４３ａに沿って前進して、ピストン３１を紅筒２０内において前進させ、その後、第一ネジ筒３６と螺合する第二ネジ筒４２が第一ネジ筒３６の円筒部３７ａに沿って前進して、ネジ爪４５を介してピストン３１を紅筒２０内において前進させてもよい。
【００２７】
一方使用後は、螺旋筒３を指などで把持した上で、ハカマ９を左回転させる。このハカマ９の左回転により、該ハカマ９の内底部１５より立設される回転伝達軸１６が嵌着する嵌着保持部４１を有する第一ネジ筒３６が一体に左回転する。そして、該第一ネジ筒３６をなす回転カム３８の係合突縁３９と紅筒２０の内周面２８の後端部において配設される係合凹縁２９との嵌合における摩擦力が、第一ネジ筒３６の雄ネジ部３７と第二ネジ筒４２の雌ネジ部４４との螺合及び、第二ネジ筒４２の雄ネジ部４３とネジ爪４５の雌ネジ部４７との螺合における摩擦力よりも、回転方向への摩擦力が強いので、第一ネジ筒３６と紅筒２０とは一体に左回転するものとなる。そして、紅筒２０の外周面２４に突設される案内突起２７が螺旋筒３内の内周面７に溝設された螺旋溝８に遊嵌されていることから、この紅筒２０の左回転に伴って、紅筒２０は該螺旋溝８に沿って回転しながら螺旋筒３内を後退して没入するものとなる。そして更にハカマ９を左回転させると、紅筒２０の案内突起２７が螺旋筒３内の内周面７に溝設された螺旋溝８の後方終端に至るか、あるいは紅筒２０と一体となった回転カム３８の後面がハカマ９の内底部１５に当接するに至ると、紅筒２０のそれ以上の後退が不能となる。これによって、紅筒２０は螺旋筒３と一体となることから、螺旋筒３を介して操作者に固持されることとなり、それ以上のハカマ９の左回転によって、第一ネジ筒３６は紅筒２０に対して別個に左回転することとなる。そしてこの時、第一ネジ筒３６の雄ネジ部３７と第二ネジ筒４２の雌ネジ部４４間の摩擦力の方が、第二ネジ筒４２の雄ネジ部４３とネジ爪４５の雌ネジ部４７間の摩擦力よりも小さいことから、第一ネジ筒３６が第二ネジ筒４２に対して左回転し、第二ネジ筒４２は第一ネジ筒３６の円筒部３７ａに沿って後退して、第二ネジ筒４２と螺合するネジ爪４５を介してピストン３１も紅筒２０内を後退することとなる。そして更に、第二ネジ筒４２の鍔部４３ｂが第一ネジ筒３６の回転カム３８の前端に当接して固持されて一体となると、第二ネジ筒４２がネジ爪４５に対して左回転し、ネジ爪４５がピストン３１を伴って第二ネジ筒４２の円筒部４３ａに沿って後退し、該ネジ爪４５と一体となるピストン３１は紅筒２０内を後退することとなる。その結果、紅筒２０の開口部４９より突出していた半固形状又は固形状化粧料４８は、その自らの有する粘性によって該ピストン３１と一体となって紅筒２０内に没入するものとなる。
尚、実施例１の場合と同様、第一ネジ筒３６の雄ネジ部３７と第二ネジ筒４２の雌ネジ部４４間の摩擦力と、第二ネジ筒４２の雄ネジ部４３とネジ爪４５の雌ネジ部４７間の摩擦力との大小関係を逆にしてもよい。
又、前記紅筒２０先端の傾斜面２５には単一且つ大径の開口部４９が穿設されているが、図１２に示す変形例のように、実施例１と同様に複数の押出孔２６を穿設するものであってもよい。
【００２８】
これらピストン３１の進退、すなわち、半固形状又は固形状化粧料４８の紅筒２０からの出没に際しては、互いに噛合する紅筒２０の後端縁の切歯部５０と第一ネジ筒３６の回転カム３８の弾性爪４０とがクリック音及びクリック感を発するので、使用者はピストン３１を進退させるハカマ９の回転操作を聴覚及び手に伝わる感触によって確認することができる。
【産業上の利用可能性】
【００２９】
本願発明は、液状、粘性体、半固形状又は固形状化粧料だけではなく、糊等の接着剤における容器にも適用することができる。
【図面の簡単な説明】
【００３０】
【図１】本願発明の実施例１の化粧料容器の正面図である。
【図２】本願発明の実施例１の化粧料容器の使用時における正面図である。
【図３】本願発明の実施例１の化粧料容器の分解斜視図（前方視）である。
【図４】本願発明の実施例１の化粧料容器の分解斜視図（後方視）である。
【図５】本願発明の実施例１の化粧料容器のピストンとネジ爪の取り合いを示す分解斜視図である。
【図６】本願発明の実施例１の化粧料容器のピストンとネジ爪の係合態様を示す縦断面図である。
【図７】本願発明の実施例１の化粧料容器における使用開始前の部分断面切欠斜視図である。
【図８】本願発明の実施例１の化粧料容器における螺旋筒より紅筒を突出させた状態での部分断面切欠斜視図である。
【図９】本願発明の実施例１の化粧料容器におけるピストンを最も前進させた状態での部分断面切欠斜視図である。
【図１０】本願発明の実施例１の化粧料容器における紅筒先端を単一の開口部とした変形例の使用開始前の部分断面切欠斜視図である。
【図１１】本願発明の実施例２の化粧料容器における使用開始前の部分断面切欠斜視図である。
【図１２】本願発明の実施例２の化粧料容器における紅筒先端を複数の押出孔とした変形例の分解斜視図（前方視）である。
【符号の説明】
【００３１】
１  化粧料容器
２  化粧料容器本体
３  螺旋筒
４  開口部
５  外周面
６  係止突縁
７  内周面
８  案内溝
９  ハカマ
１０  開口部
１１  外周面
１２  係止突縁
１３  内周面
１４  係止凹縁
１５  内底部
１６  回転伝達軸
１７  キャップ
１８  内周面
１９  係止凹縁
２０  紅筒
２１  ラチェット歯
２２  垂直面
２３  傾斜面
２４  外周面
２５  傾斜面
２６  押出孔
２７  案内突起
２８  内周面
２８ａ  段部
２９  係合凹縁
３０  液状等化粧料
３１  ピストン
３１ａ  ピストン本体部
３１ｂ  段部
３２  外周面
３３  係止突縁
３３ａ  前端突条
３３ｂ  後端突条
３４  内周面
３５  係止凹部
３６  第一ネジ筒
３７  雄ネジ部
３７ａ  円筒部
３７ｂ  ストッパー
３８  回転カム
３９  係合突縁
４０  弾性爪
４１  嵌着保持部
４２  第二ネジ筒
４３  雄ネジ部
４３ａ  円筒部
４３ｂ  鍔部
４３ｃ  フランジ
４４  雌ネジ部
４５  ネジ爪
４５ａ  基底部
４６  支持爪
４６ａ  第一係止突条
４６ｂ  第二係止突条
４７  雌ネジ部
４８  固形状等化粧料
４９  開口部
５０  切歯部
５０ａ  山部
５０ｂ  谷部
Ａ  ラチェット機構
Ｂ  カム機構
Ｐ  ピストンの最大移動可能距離
Ｑ  第一ネジ筒３６に対する第二ネジ筒４２の最大移動可能距離
Ｒ  第二ネジ筒４２に対するネジ爪４５の最大移動可能距離
【図１】
2008307082.tif 000003
【図２】
2008307082.tif 000004
【図３】
2008307082.tif 000005
【図４】
2008307082.tif 000006
【図５】
2008307082.tif 000007
【図６】
2008307082.tif 000008
【図７】
2008307082.tif 000009
【図８】
2008307082.tif 000010
【図９】
2008307082.tif 000011
【図１０】
2008307082.tif 000012
【図１１】
2008307082.tif 000013
【図１２】
2008307082.tif 000014